(57)【要約】【課題】壁立掛けにすることができ、しかも、壁立掛け角度を変えることにより、表示面の仰角を変えることができ、また、壁面との間の空間を比較的広くすることができ、また、壁面への取付工事をなくすることができる表示装置及び表示装置本体、該表示装置本体の滑りを防ぐことができる滑止具、該滑止具の横移動を防ぐことができる横ずれ防止具を提供する。【解決手段】略直方体をなす表示装置本体１の下部に横方向への滑りを止める滑止具２が取付けられる第１の取付部１４を有し、上部に上下方向への滑りを止める滑止具３が取付けられる第２の取付部１５を有し、取付部１４，１５に滑止具２，３が取付けられることにより、壁立掛け状態を維持することができ、また、壁立掛け角度を変えることができるようにした。【選択図】図１
2011103546.tif 000002
【特許請求の範囲】
【請求項１】
前側に表示面を有する表示装置において、下部に横方向への滑りを止める滑止具を有し、上部に上下方向への滑りを止める滑止具を有することを特徴とする表示装置。
【請求項２】
略直方体をなし、前記滑止具夫々は、横方向に離隔した複数箇所に配してある請求項１記載の表示装置。
【請求項３】
前側に表示面を有する表示装置本体において、下部に横方向への滑りを止める滑止具が取付けられる第１の取付部を有し、上部に上下方向への滑りを止める滑止具が取付けられる第２の取付部を有することを特徴とする表示装置本体。
【請求項４】
略直方体をなし、前記第１及び第２の取付部夫々は、横方向に離隔した複数箇所に配してある請求項１記載の表示装置本体。
【請求項５】
後側の内部に下側の空気を斜め上方へ案内する案内路を有し、該案内路にて案内された空気を外部へ排気する開放孔が側部に開設されている請求項３又は４記載の表示装置本体。
【請求項６】
後側には、前後方向への伸縮が可能であり、上下方向への滑りを止める滑止具が取付けられる第３の取付部を有する請求項３から５のいずれか一つに記載の表示装置本体。
【請求項７】
後側には、放熱部を有し、横方向及び上下方向への滑りを止める滑止具が取付けられる第４の取付部を有する請求項３から５のいずれか一つに記載の表示装置本体。
【請求項８】
後側には、後側の空気を上方へ送風するファンを設けてある請求項３から７のいずれか一つに記載の表示装置本体。
【請求項９】
摩擦抵抗周面を有する転動体及び該転動体の二箇所から外方へ突出された軸部を有することを特徴とする滑止具。
【請求項１０】
軸長方向への相対移動を可能に嵌合された二つの軸体と、一方の軸体の端部に配された摩擦抵抗体とを有することを特徴とする滑止具。
【請求項１１】
熱伝導性を有する放熱体と、該放熱体の縁の複数位置に配された摩擦抵抗体とを有することを特徴とする滑止具。
【請求項１２】
載置される物体の横方向へのずれを防ぐずれ防止部及び該ずれ防止部を横方向へ移動可能に保持する保持部を有することを特徴とする横ずれ防止具。
【請求項１３】
前記保持部には上方へ送風するファンが装着されている請求項１２記載の横ずれ防止具。
【発明の詳細な説明】
【技術分野】
【０００１】
本発明は液晶テレビジョン、プラズマテレビジョン等の表示装置及び表示装置本体、該表示装置及び表示装置本体が壁に立掛けられる際に滑るのを防ぐための滑止具、及び滑止具が横方向へずれるのを防ぐための横ずれ防止具に関する。
【背景技術】
【０００２】
液晶テレビジョン等の薄型の表示装置は、スタンドにて床面に据置きされる据置きタイプと、壁掛具にて壁掛けされる壁掛けタイプとがある。
【０００３】
据置きタイプは、前後スパンが比較的長いスタンドを用いて表示装置の前後方向への転倒を防ぐように構成されるため、壁寄せに支障を来し、壁面との間に比較的広い空間が発生することになる。
【０００４】
壁掛けタイプは、特許文献１に記載されているように、壁面には枠形をなす壁面取付金具が取付けられ、表示装置の後面には掛止金具が取付けられ、該掛止金具が壁面取付金具に掛止されることにより壁掛けされる構成になっている。
【先行技術文献】
【特許文献】
【０００５】
【特許文献１】実用新案登録第３１４２９０１号公報
【発明の概要】
【発明が解決しようとする課題】
【０００６】
ところが、特許文献１のように壁掛けされる表示装置は、床面に対する高さ及び表示面の仰角を変えることができないため、表示装置の前方から表示面を見る位置によっては垂直視野角が狭くなり、表示面の映像が見づらくなる。また、表示装置が壁面と平行的に配置され、壁面との間の空間が比較的狭いため、表示装置にて発生した熱が壁面との間の空間にこもり、該熱にて表示装置又は壁面に損傷を与え易くなる。また、壁面に壁面取付金具が取付けられるため、壁面への取付工事が必要であり、壁掛け作業性が悪いという問題がある。
【０００７】
本発明は斯かる事情に鑑みてなされたものであり、主たる目的は据置き及び壁掛けすることなく、壁立掛けにすることができ、しかも、壁立掛け角度を変えることにより、表示面の仰角を変えることができ、また、壁面との間の空間を比較的広くすることができ、また、壁面への取付工事をなくすることができる表示装置及び表示装置本体、表示装置及び表示装置本体の滑りを防ぐことができる滑止具、該滑止具の横方向へのずれを防ぐことができる横ずれ防止具を提供することにある。
【課題を解決するための手段】
【０００８】
本発明に係る表示装置は、前側に表示面を有する表示装置において、下部に横方向への滑りを止める滑止具を有し、上部に上下方向への滑りを止める滑止具を有することを特徴とする。
【０００９】
この発明にあっては、表示装置の下部及び上部に滑止具が取付けられているため、下部の滑止具を床面に接触させた状態で表示装置を後方の壁面側へ傾倒させることにより、上部の滑止具を壁面に接触させることができ、表示装置を壁面に立掛けることができる。この場合、下部の滑止具にて表示装置の横方向への滑りを止めることができるとともに、上部の滑止具にて表示装置の上下方向への滑りを止めることができ、壁立掛け状態を維持することができる。よって、壁立掛け角度を調整することにより、表示面の仰角を簡易に変えることができ、垂直視野角を広くすることができる。また、表示装置の下部が壁面から比較的離隔し、壁面との間の空間を比較的広くすることができるため、表示装置にて発生した熱が壁面との間の空間にこもり難くなり、表示装置後側の放熱性を高めることができる。また、壁面への取付工事が不要であるため、表示装置を簡易に設置することができる。
【００１０】
また、本発明に係る表示装置は、略直方体をなし、前記滑止具夫々は、横方向に離隔した複数箇所に配してある構成とするのが好ましい。
この発明にあっては、横方向に離隔した下部複数箇所及び上部複数箇所に滑止具が配されているため、比較的小形の滑止具にて壁立掛け状態を維持することができる。また、上部複数箇所の滑止具間に、上下に開放された空間を確保することが可能であり、表示装置にて発生した熱を、前記開放された空間から上方へ逃がすことができ、表示装置後側の放熱性を高めることができる。
【００１１】
本発明に係る表示装置本体は、前側に表示面を有する表示装置本体において、下部に横方向への滑りを止める滑止具が取付けられる第１の取付部を有し、上部に上下方向への滑りを止める滑止具が取付けられる第２の取付部を有することを特徴とする。
【００１２】
この発明にあっては、表示装置本体の下部及び上部に滑止具の取付部が設けられているため、下部及び上部の取付部夫々に滑止具を取付けることができる。そして、下部の滑止具を床面に接触させた状態で表示装置本体を後方の壁面側へ傾倒させることにより、上部の滑止具を壁面に接触させることができ、表示装置本体を壁面に立掛けることができる。この場合、下部の滑止具にて表示装置本体の横方向への滑りを止めることができるとともに、上部の滑止具にて表示装置本体の上下方向への滑りを止めることができ、壁立掛け状態を維持することができる。よって、壁立掛け角度を調整することにより、表示面の仰角を簡易に変えることができ、垂直視野角を広くすることができる。また、表示装置本体の下部が壁面から比較的離隔し、壁面との間の空間を比較的広くすることができるため、表示装置本体にて発生した熱が壁面との間の空間にこもり難くなり、表示装置本体後側の放熱性を高めることができる。また、壁面への取付工事が不要であるため、表示装置本体を簡易に設置することができる。
【００１３】
また、本発明に係る表示装置本体は、略直方体をなし、前記第１及び第２の取付部夫々は、横方向に離隔した複数箇所に配してある構成とするのが好ましい。
この発明にあっては、横方向に離隔した下部複数箇所及び上部複数箇所に滑止具を配することができるため、比較的小形の滑止具にて壁立掛け状態を維持することができる。また、上部複数箇所の滑止具間に、上下に開放された空間を確保することが可能であり、表示装置本体にて発生した熱を、前記開放された空間から上方へ逃がすことができ、表示装置本体後側の放熱性を高めることができる。
【００１４】
また、本発明に係る表示装置本体は、後側の内部に下側の空気を斜め上方へ案内する案内路を有し、該案内路にて案内された空気を外部へ排気する開放孔が側部に開設されている構成とするのが好ましい。
この発明にあっては、自然対流にて上昇する下側の空気を案内路から側部の開放孔へ案内し、開放孔から表示装置本体の側方へ排気することができるため、壁面との間の空間で昇温した空気の自然対流を促進することができ、表示装置本体後側の放熱性をより一層高めることができる。
【００１５】
また、本発明に係る表示装置本体は、後側には、前後方向への伸縮が可能であり、上下方向への滑りを止める滑止具が取付けられる第３の取付部を有する構成とするのが好ましい。
この発明にあっては、表示装置本体の後側に設けられている第３の取付部に、前後方向への伸縮が可能な滑止具を取付けることができ、表示装置本体の上下方向への滑り止め箇所を上下に離隔した位置に増加できるとともに、該滑止具にて表示装置の前後方向への撓みを防ぐことが可能であり、また、滑止具を伸縮させることにより該滑止具の前後長さを調整することができるため、壁立掛け角度が調整された場合においても、表示装置本体の前後方向への撓みを防ぐことができる。
【００１６】
また、本発明に係る表示装置本体は、後側には、放熱部を有し、横方向及び上下方向への滑りを止める滑止具が取付けられる第４の取付部を有する構成とするのが好ましい。
この発明にあっては、壁面との間の空間で昇温した空気の熱を放熱部から外部へ放熱することができるため、表示装置本体後側の放熱性をより一層高めることができる。また、表示装置本体にて発生する熱を滑止具の放熱部へ熱伝導させ、該放熱部から外部へ放熱させることが可能であり、表示装置本体自体の温度上昇を抑制し得る。
【００１７】
また、本発明に係る表示装置本体は、後側には、後側の空気を上方へ送風するファンを設けてある構成とするのが好ましい。
この発明にあっては、壁面との間の空間で昇温した空気を壁面との間の空間から上方外部へ迅速に逃がすことができるため、壁面との間の空間に熱がこもるのを防ぐことができる。
【００１８】
また、本発明に係る滑止具は、摩擦抵抗周面を有する転動体及び該転動体の二箇所から外方へ突出された軸部を有することを特徴とする。
この発明にあっては、軸部にて滑止具を表示装置本体の下部及び上部に取付けることにより、下部の滑止具を床面に接触させ、上部の滑止具を壁面に接触させて表示装置本体を壁立掛けにした際、表示装置本体の横方向への滑りを下部の滑止具にて止めることができ、表示装置本体の上下方向への滑りを上部の滑止具にて止めることができ、壁立掛け状態を維持することができる。よって、滑止具が取付けられた表示装置本体にあっては、壁立掛け角度を調整することにより、表示面の仰角を簡易に変えることができ、垂直視野角を広くすることができる。また、表示装置本体の壁面との間の空間を比較的広くすることができるため、表示装置本体にて発生した熱が壁面との間の空間にこもり難くなり、表示装置本体後側の放熱性を高めることができる。また、壁面への取付工事が不要であるため、表示装置本体を簡易に設置することができる。
また、壁立掛け角度が調整される際、下部の滑止具を床面に接触させ、上部の滑止具を壁面に接触させた状態で滑止具夫々を転動させつつ壁立掛け角度を変えることができるため、表示装置本体の壁立掛け作業を簡易にできる。
【００１９】
また、本発明に係る滑止具は、軸長方向への相対移動を可能に嵌合された二つの軸体と、一方の軸体の端部に配された摩擦抵抗体とを有することを特徴とする。
この発明にあっては、二つの軸体を相対移動させることにより、軸体の長さを変えることができるため、表示装置本体の上下方向中間に滑止具を取付けることができ、表示装置本体の前方から滑止具が見えるのを防ぐことができるとともに、壁立掛け角度の変更に影響されることなく、壁立掛け状態を維持することができる。
【００２０】
また、本発明に係る滑止具は、熱伝導性を有する放熱体と、該放熱体の縁の複数位置に配された摩擦抵抗体とを有することを特徴とする。
この発明にあっては、放熱体を表示装置本体に取付けることにより、一方の摩擦抵抗体を床面に接触させ、他方の摩擦抵抗体を壁面に接触させて表示装置本体の壁立掛け状態を維持することができ、しかも、表示装置本体と壁面との間の空間で昇温した空気の熱を、放熱体から外部へ放熱することができるため、表示装置本体後側の放熱性を高めることができる。また、表示装置本体にて発生する熱を、放熱体へ熱伝導させ、該放熱体から外部へ放熱させることが可能であり、表示装置本体自体の温度上昇を抑制し得る。
【００２１】
また、本発明に係る横ずれ防止具は、載置される物体の横方向へのずれを防ぐずれ防止部及び該ずれ防止部を横方向へ移動可能に保持する保持部を有することを特徴とする。
この発明にあっては、表示装置本体に取付けられた滑止具が横方向へずれるのをずれ防止部にて防ぐことができるため、表示装置本体の壁立掛け状態を、振動及び外力に影響されることなく維持することができる。また、ずれ防止部の横方向位置を調整することができるため、表示装置本体の壁立掛け角度の調整に影響されることなく、壁立掛け状態を維持することができる。
【００２２】
また、本発明に係る横ずれ防止具は、前記保持部には上方へ送風するファンが装着されている構成とするのが好ましい。
この発明にあっては、表示装置本体と壁面との間の空間で昇温した空気を上方外部へ迅速に逃がすことができるため、表示装置本体と壁面との間の空間に熱がこもるのを防ぐことができる。
【発明の効果】
【００２３】
本発明によれば、表示装置を据置き及び壁掛けすることなく、壁立掛けにすることができ、しかも、壁立掛け角度を調整することにより、表示面の仰角を簡易に変えることができ、垂直視野角を広くすることができる。また、表示装置の下部が壁面から比較的離隔し、壁面との間の空間を比較的広くすることができるため、表示装置にて発生した熱が壁面との間の空間にこもり難くなり、表示装置後側の放熱性を高めることができる。また、壁面への取付工事が不要であるため、表示装置を簡易に設置することができる。 
また、本発明によれば、表示装置本体を据置き及び壁掛けすることなく、壁立掛けにすることができ、しかも、壁立掛け角度を調整することにより、表示面の仰角を簡易に変えることができ、垂直視野角を広くすることができる。また、表示装置本体の下部が壁面から比較的離隔し、壁面との間の空間を比較的広くすることができるため、表示装置本体にて発生した熱が壁面との間の空間にこもり難くなり、表示装置本体後側の放熱性を高めることができる。また、壁面への取付工事が不要であるため、表示装置本体を簡易に設置することができる。
【図面の簡単な説明】
【００２４】
【図１】本発明に係る表示装置の構成を示す模式的側面図である。
【図２】本発明に係る表示装置の構成を示す模式的前側斜視図である。
【図３】本発明に係る表示装置の下側の滑止具と横ずれ防止具との関係を示す説明図である。
【図４】本発明に係る表示装置のキャビネットを省略した構成を示す拡大背面図である。
【図５】本発明に係る表示装置の他の構成を示す模式的側面図である。
【図６】本発明に係る表示装置の他の構成を示す模式的前側斜視図である。
【図７】本発明に係る表示装置の中間の滑止具部分の構成を示す拡大説明図である。
【図８】本発明に係る表示装置の他の構成を示すキャビネットだけの模式的斜視図である。
【図９】本発明に係る表示装置の他の構成を示す模式的側面図である。
【図１０】本発明に係る表示装置の他の構成を示す模式的前側斜視図である。
【発明を実施するための形態】
【００２５】
以下本発明をその実施の形態を示す図面に基づいて詳述する。
実施の形態１
図１は本発明に係る表示装置の構成を示す模式的側面図、図２は表示装置の構成を示す模式的前側斜視図、図３は下側の滑止具と横ずれ防止具との関係を示す説明図、図４は表示装置のキャビネットを省略した構成を示す拡大背面図である。
【００２６】
図示した表示装置はテレビ画像を表示する表示面１ａを前側に有し、略直方体をなす表示装置本体１、及び該表示装置本体１の下部及び上部に取付けられた滑止具２，３を備える薄型の液晶テレビジョンである。
【００２７】
表示装置本体１は前側に表示面１ａを有する液晶の表示パネル１１と、該表示パネル１１の後側に配された光学シート、光源及び電源回路基板等の複数の回路基板と、これら表示パネル１１等の部品を支持する支持体１２と、表示面１ａを露出させて表示パネル１１の外周り及び支持体１２の後側を覆うキャビネット１３とを備える。
【００２８】
支持体１２は略直方体をなす横長の枠部材及び周縁部が該枠部材に結合され該枠部材の後側端を閉鎖する蓋板を有するケース１２ａと、前記蓋板の後側で長手方向の２箇所に配され、上下端が前記枠部材及び蓋板に結合された杆状のケース補強部材１２ｂ，１２ｂとを有する。
【００２９】
キャビネット１３は表示パネル１１の外周りを被覆するキャビネット前分体と、支持体１２の後側を被覆するキャビネット後分体とを有し、キャビネット前分体及びキャビネット後分体の周縁部が支持体１２に複数本の雄螺子により取付けられている。
【００３０】
キャビネット前分体は、環板部及び該環板部の周縁から後方へ延出された角筒部を有する。キャビネット後分体は深皿形をなし、下部の横方向へ離隔した２箇所に、滑止具２を取付けるための第１の取付部１４，１４が設けられ、上部の横方向へ離隔した２箇所に、滑止具３を取付けるための第２の取付部１５，１５が設けられている。
【００３１】
第１の取付部１４，１４は、下縁から上方へ窪む凹状をなし、横方向へ離隔して対向する二つの受片を有し、該受片に取付孔が開設されている。第２の取付部１５，１５は、上縁から下方へ窪む凹状をなし、横方向へ離隔して対向する二つの受片を有し、該受片に取付孔が開設されている。
【００３２】
滑止具２，３は、ローラ形をなすゴム製の摩擦抵抗周面を有する転動体２１，３１と、該転動体２１，３１の中心部を貫通し、両側から外方へ突出する軸部２２，３２とを有する。転動体２１，３１の摩擦抵抗周面には断面略Ｖ字形をなす凸条が周設され、摩擦抵抗力を大きくするようになしてある。滑止具２，３は、軸部２２，３２が前記二つの受片の取付孔に嵌入されることにより転動自在に取付けられる。下部の滑止具２は、転動体２１の摩擦抵抗周面の一部がキャビネット１３から下方へ突出し、滑止具２，２が床面に接触した際、二つの滑止具２，２間及び滑止具２，２から外側に、上下に開放された隙間が生じる。上部の滑止具３は、転動体３１の摩擦抵抗周面の一部がキャビネット１３から後方へ突出し、滑止具３，３が壁面に接触した際、二つの滑止具３，３間及び滑止具３，３から外側に、上下に開放された隙間が生じる。
【００３３】
以上のように構成された表示装置は、床面に載置される横ずれ防止具４に支持され、壁立掛けされる。
【００３４】
横ずれ防止具４は四角形の板状をなし、表示装置の下部２箇所に取付けられた滑止具２，２の離隔距離と等しい二つの位置に保持溝部４１，４１が平行的に設けられ、該保持溝部４１，４１に、滑止具２，２の横方向へのずれを防ぐずれ防止部４２，４２が横方向への移動を可能に保持されている。保持溝部４１，４１の底面には複数の位置決め孔４３が長さ方向に離隔して開設されている。また、横ずれ防止具４のずれ防止部４２，４２間には上方へ送風するファン５が取付けられている。
【００３５】
ずれ防止部４２は、離隔して対向する二つの立上部４２ａ，４２ａを有する凹形をなし、立上部４２ａ，４２ａの先端から貫通する貫通孔４２ｂ，４２ｂが開設され、該貫通孔４２ｂ，４２ｂに挿入された雄螺子４４，４４が位置決め孔４３，４３に螺入されることにより、ずれ防止部４２を固定し、二つの立上部４２ａ，４２ａにて滑止具２の横方向への滑りを防ぐように構成されている。
【００３６】
壁立掛けされる表示装置は、床面に載置された横ずれ防止具４のずれ防止部４２，４２に下側の滑止具２，２が接触するように横ずれ防止具４上に載せられ、後方の壁面側へ傾倒される。この際、ずれ防止部４２，４２は保持溝部４１，４１に固定されているため、下側の滑止具２，２が横方向へ滑るのを防ぐことができ、また、上部の滑止具３，３は壁面に接触し、上下方向への滑り抵抗が大きくなっており、壁立掛け状態を維持することができる。
【００３７】
壁立掛けされる表示装置の壁立掛け角度を調整する場合、雄螺子４４を弛緩し、ずれ防止部４２，４２を保持溝部４１，４１に沿って横方向へ移動させることにより、下部及び上部の滑止具２，３を転動させつつ壁立掛け角度を調整することができ、壁立掛け角度の調整を簡易に行うことができる。よって、表示面の仰角を簡易に変えることができ、垂直視野角を広くすることができる。
【００３８】
壁立掛けされた表示装置は、下部が壁面から比較的離隔し、壁面との間の空間が比較的広くなるため、表示装置にて発生した熱が壁面との間の空間にこもり難くなり、表示装置後側の放熱性を高めることができる。また、横ずれ防止具４上のファン５を駆動することにより、壁面との間の空間で昇温した空気を、上部二つの滑止具３，３間及び滑止具３，３から外側に生じる隙間から上方外部へ迅速に逃がすことができ、壁面との間の空間に熱がこもるのを防ぐことができる。
【００３９】
実施の形態２
図５は本発明に係る表示装置の他の構成を示す模式的側面図、図６は表示装置の他の構成を示す模式的前側斜視図、図７は中間の滑止具部分の構成を示す拡大説明図である。この表示装置は、キャビネット１３の後側で、第１の取付部１４，１４及び第２の取付部１５，１５の間に、前後方向への伸縮が可能な滑止具６，６を取付けるための第３の取付部１６，１６が設けられ、該第３の取付部１６，１６に滑止具６，６が取外しを可能に取付けられている。
【００４０】
第３の取付部１６は、表示装置本体１のケース補強部材１２ｂに取付けられた取付部材１６ａ，１６ａを有し、該取付部材１６ａ，１６ａの先端部に滑止具６，６が上下方向への回動を自在に枢着されている。前記キャビネット後分体の第３の取付部１６，１６と前後に対向する箇所には、表示パネル１１側へ弧状に窪む湾曲凹部１３ａ，１３ａ及び該湾曲凹部１３ａ，１３ａを貫通する貫通孔１３ｂ，１３ｂを有し、該貫通孔１３ｂ，１３ｂに取付部材１６ａ，１６ａが挿通されている。
【００４１】
滑止具６は、筒形をなす第１の軸体６１と、該軸体６１の一端に取付けられたゴム製の摩擦抵抗体６２と、軸体６１の他端部内側に相対移動を可能に嵌合された第２の軸体６３とを有し、第１の軸体６１の開放端部に螺子孔６１ａが開設され、該螺子孔６１ａに螺入された雄螺子６４の先端が第２の軸体６３の周面を押圧することにより第１及び第２の軸体６１，６３の軸長方向への相対移動を防ぐように構成されている。第２の軸体６３は、第１の軸体６１に嵌合される軸部６３ａ、及び端縁が湾曲する板部６３ｂを有し、該板部６３ｂが取付部材１６ａの先端部に雄螺子６５にて枢着されている。
【００４２】
この発明にあっては、雄螺子６４を弛緩し、第１及び第２の軸体６１，６３を相対移動させることにより、滑止具６の前後長さを調整することができるため、壁立掛け角度が調整された場合においても、表示装置の前後方向への撓みを防ぐことができる。また、上下方向への滑止め箇所を上下に離隔した位置に増加できるため、上下方向へより一層滑り難くすることができる。
その他の構成及び作用は実施の形態１と同様であるため、同様の部品については同じ符号を付し、その詳細な説明及び作用効果の説明を省略する。
【００４３】
実施の形態３
図８は表示装置の他の構成を示すキャビネットだけの模式的斜視図である。この表示装置は、キャビネット１３におけるキャビネット後分体の後面内側に、横方向中央部から斜め上方へ傾斜する案内壁１８，１８を平行的に設け、該案内壁１８，１８にて案内された空気を外部へ排気する開放孔１７，１７をキャビネット後分体の両側部に上下に離隔して開設したものである。尚、上下に隣合う案内壁１８，１８間が案内路になっている。
【００４４】
この実施の形態にあっては、上下に離隔して並置された案内壁１８，１８の前後位置が漸次変わっており、自然対流にて上昇する下側の空気を案内路夫々から側部の開放孔１７，１７へ案内し、開放孔１７，１７から側方へ排気することができるため、キャビネット後分体内の空気の自然対流を促進することができ、表示装置の放熱性をより一層高めることができる。
その他の構成及び作用は実施の形態１と同様であるため、同様の部品については同じ符号を付し、その詳細な説明及び作用効果の説明を省略する。
【００４５】
実施の形態４
図９は表示装置の他の構成を示す模式的側面図、図１０は表示装置の他の構成を示す模式的前側斜視図である。この表示装置は、キャビネット１３の後側に、放熱部を有する滑止具７が取付けられるための第４の取付部１９，１９が設けられ、該第４の取付部１９，１９に滑止具７，７が取外しを可能に取付けられている。
【００４６】
第４の取付部１９，１９は、表示装置本体１のケース補強部材１２ｂ，１２ｂに取付けられた取付部材を有し、該取付部材の先端部に滑止具７，７が取付けられている。前記キャビネット後分体の第４の取付部１９，１９と前後に対向する箇所には、前記取付部材の先端を外部へ露出させるための孔が開設されている。
【００４７】
滑止具７は、上下に長い板状をなし、熱伝導性を有する放熱体７１と、該放熱体７１の下端部に取付けられ、床面に接触するゴム製の転動輪からなる摩擦抵抗体７２と、放熱体７１の上端部に取付けられ、壁面に接触するゴム製の摩擦抵抗体７３と、放熱体７１の上下方向中間から外方へ突出し、熱伝導性を有する突起部７４とを有し、該突起部７４の先端が雄螺子にて前記取付部材に取付けられている。
【００４８】
以上のように構成された表示装置は、床面に載置される横ずれ防止具８に支持され、壁立掛けされる。横ずれ防止具８にはロック手段を有するキャスター等の転動輪８１が複数設けられている。
【００４９】
壁立掛けされる表示装置は、床面に載置された横ずれ防止具８上に載せられ、後方の壁面側へ傾倒される。この際、下側の摩擦抵抗体７２は横ずれ防止具８に接触し、横方向への滑り抵抗が大きくなっており、また、上側の摩擦抵抗体７３は壁面に接触し、上下方向への滑り抵抗が大きくなっており、壁立掛け状態を維持することができる。
【００５０】
壁立掛けされた表示装置は、キャビネット１３と壁面との間の空間に放熱体７１が配されているため、壁面との間の空間で昇温した空気の熱を放熱体７１から外部へ放熱することができ、表示装置後側の放熱性をより一層高めることができる。また、表示装置本体１にて発生する熱を突起部７４から放熱体７１へ熱伝導させ、該放熱体７１から外部へ放熱させることができるため、表示装置自体の温度上昇を抑制することができる。
【００５１】
壁立掛けされる表示装置は、放熱体７１とともに移動させつつ壁立掛け角度、ひいては表示面の仰角を調整することができるため、視聴者の見やすい垂直視野角に簡易に調整することができる。また、転動輪８１を有する横ずれ防止具８にて表示装置を簡易に移動させることができるため、視聴者が視聴したい場所に簡易に移動させることができる。
その他の構成及び作用は実施の形態１と同様であるため、同様の部品については同じ符号を付し、その詳細な説明及び作用効果の説明を省略する。
【００５２】
尚、以上説明した実施の形態では、キャビネット１３の下部に取付部１４を設け、上部に取付部１５を設けて、該取付部１４，１５に滑止具２，３が取付けられている構成としたが、その他、支持体１２の上下部に取付部１４，１５が設けられ、該取付部１４，１５に滑止具２，３が取付けられている構成としてもよい。
【００５３】
また、以上説明した実施の形態では、表示装置が滑止具２，３、滑止具６又は滑止具７を備える構成としたが、その他、滑止具２，３が取付けられる取付部１４，１５を表示装置本体１が有し、滑止具２，３は別途表示装置本体１に取付けられる構成としてもよいし、また、滑止具６が取付けられる取付部１６を表示装置本体１が有し、滑止具６は別途表示装置本体１に取付けられる構成としてもよいし、また、滑止具７が取付けられる取付部１９を表示装置本体１が有し、滑止具７は別途表示装置本体１に取付けられる構成としてもよい。
【００５４】
また、以上説明した実施の形態では、滑止具２，３として転動体２１，３１を有する構成としたが、その他、滑止具２，３は非転動の形態であってもよい。
【００５５】
また、以上説明した実施の形態では、表示装置本体１の上部が壁面に直接立掛けられる構成としたが、その他、図１の横ずれ防止具４又は、図９の横ずれ防止具８が、該横ずれ防止具４，８から立上がる壁体を有し、該壁体に表示装置の上部が立掛けられる構成としてもよい。この場合、上部の滑止具３又は上部の摩擦抵抗体７３が前記壁体に接触する構成としてもよいし、また、前記壁体の上部に、鈎形をなす係止部を上下に離隔して複数設け、該係止部の一つに係止される被係止部を表示装置の上部に設け、該被係止部が前記係止部に係止されることにより表示装置の上下方向への滑りを止めることができるようになしてもよい。
【００５６】
また、本発明に係る表示装置は液晶テレビジョン等の液晶の表示装置である他、プラズマ表示装置、ＥＬディスプレイ等の表示装置であってもよい。
【符号の説明】
【００５７】
１    表示装置本体
１４  第１の取付部
１５  第２の取付部
１６  第３の取付部
１７  開放孔
１８  案内壁（案内路）
１９  第４の取付部
２，３  滑止具
２１，３１  転動体
２２，３２  軸部
５    ファン
６    滑止具
６１，６３  軸体
６２  摩擦抵抗体
７    滑止具
７１  放熱体
７２，７３  摩擦抵抗体
４，８  横ずれ防止具
４１  保持溝部（保持部）
４２  ずれ防止部
【図１】
2011103546.tif 000003
【図２】
2011103546.tif 000004
【図３】
2011103546.tif 000005
【図４】
2011103546.tif 000006
【図５】
2011103546.tif 000007
【図６】
2011103546.tif 000008
【図７】
2011103546.tif 000009
【図８】
2011103546.tif 000010
【図９】
2011103546.tif 000011
【図１０】
2011103546.tif 000012